(57)【特許請求の範囲】
【請求項１】
内面が導電性を有するケースと、
前記ケースに収納された液晶表示パネルと、
表面に前記ケースと接触する導電性の反射板を有し、前記ケースと前記液晶表示パネルとの間に収納されたバックライトと、を備え、
前記バックライトは、前記ケースに対し移動可能であって、移動の際に該バックライトの有する反射板と該反射板に接触している前記ケースとが擦れることを特徴とする液晶表示装置。
【請求項２】
前記ケースの前記反射板との接触面に、前記反射板の方向に向かって突出する突起が設けられていることを特徴とする請求項１に記載の液晶表示装置。
【請求項３】
前記突起は、前記ケースの内側の底面に位置し、
前記反射板は、前記バックライトの背面に位置し、
前記バックライトは、前記ケースの正面に対して垂直方向に移動可能であり、
前記ケースの側面と前記バックライト側面の間に隙間を有することを特徴とする請求項２に記載の液晶表示装置。
【請求項４】
前記液晶表示パネルの側面に、前記バックライトを前記ケースの正面に対して垂直かつ内側方向に付勢する付勢部材を備えることを特徴とする請求項１から３の何れか一項に記載の液晶表示装置。
【請求項５】
前記液晶表示パネルは、前記バックライトとともに移動可能であり、前記液晶表示パネルの正面に前記液晶表示パネルと共に移動可能なカバーを備えることを特徴とする請求項１から４の何れか一項に記載の液晶表示装置。
【請求項６】
前記液晶表示パネルと前記カバーとの間に介在する弾性部材を備えることを特徴とする請求項５に記載の液晶表示装置。
【請求項７】
請求項１から６の何れか一項に記載の液晶表示装置を備える電子機器。
【発明の詳細な説明】
【技術分野】
【０００１】
本発明は、液晶表示装置と、その液晶表示装置を備えた電子機器に関する。
【背景技術】
【０００２】
従来の液晶表示装置には、導電性の反射板（ＲＥＦ）と、導電性の下側フレーム（ＤＦＬＭ）との間に、導電性及び弾性を有する導電性シリコンゴム（ＦＩＬ）を挟み込んだものがある（特許文献１参照）。こうすることで、反射板と下側フレームとが導電性シリコンゴムを介して導通し、液晶表示装置のバックライト部で発生する漏れ電圧を下側フレームに逃がすことができる。また、導電性シリコンゴムは弾性体なので、液晶表示装置に振動が加わっても反射板及び下側フレームに接触し続け、導通が途切れることが無い。
【先行技術文献】
【特許文献】
【０００３】
【特許文献１】特開２００３−３０７７２４号公報
【発明の概要】
【発明が解決しようとする課題】
【０００４】
しかし、液晶表示装置を長期間使用するうちに、反射板及び下側フレームの表面が酸化して導通しにくくなってくる。また、導電性シリコンゴムは高価であるため、液晶表示装置の製造コストが高くなってしまう。
【０００５】
本発明の課題は、バックライトとケースとを長期間にわたって確実に導通させることである。
【課題を解決するための手段】
【０００６】
以上の課題を解決するため、請求項１に記載の発明は、内面が導電性を有するケースと、前記ケースに収納された液晶表示パネルと、表面に前記ケースと接触する導電性の反射板を有し、前記ケースと前記液晶表示パネルとの間に収納されたバックライトと、を備え、前記バックライトは、前記ケースに対し移動可能であって、移動の際に該バックライトの有する反射板と該反射板に接触している前記ケースとが擦れることを特徴とする。
【０００７】
請求項２に記載の発明は、請求項１に記載の液晶表示装置であって、前記ケースの前記反射板との接触面に、前記反射板の方向に向かって突出する突起が設けられていることを特徴とする。
請求項３に記載の発明は、請求項２に記載の液晶表示装置であって、前記突起は、前記ケースの内側の底面に位置し、前記反射板は、前記バックライトの背面に位置し、前記バックライトは、前記ケースの正面に対して垂直方向に移動可能であり、前記ケースの側面と前記バックライト側面の間に隙間を有することを特徴とする。
【０００８】
請求項４に記載の発明は、請求項１から３の何れか一項に記載の液晶表示装置であって、前記液晶表示パネルの側面に、前記バックライトを前記ケースの正面に対して垂直かつ内側方向に付勢する付勢部材を備えることを特徴とする。
【０００９】
請求項５に記載の発明は、請求項１から４の何れか一項に記載の液晶表示装置であって、前記液晶表示パネルは、前記バックライトとともに移動可能であり、前記液晶表示パネルの正面に前記液晶表示パネルと共に移動可能なカバーを備えることを特徴とする。
【００１０】
請求項６に記載の発明は、請求項５に記載の液晶表示装置であって、前記液晶表示パネルと前記カバーとの間に介在する弾性部材を備えることを特徴とする。
【００１１】
請求項７に記載の発明は、請求項１から６の何れか一項に記載の液晶表示装置を備える電子機器である。
【発明の効果】
【００１２】
本発明によれば、持ち運ぶ際の振動等によりバックライトがケースとの接触面に沿って移動する。そして、バックライトの反射板と反射板に接触しているケースが擦れる。このため、反射板の表面が酸化して酸化皮膜が形成されても、酸化皮膜がケースとの摩擦によって削り取られるので、反射板とケースが長期間にわたって確実に導通する。このため、電子機器のグランド電位がいつまでも安定し、ノイズや画像の乱れが抑えられる。また、高価な部材を必要としないので、低コストで製造することが可能である。
【図面の簡単な説明】
【００１３】
【図１】本発明を適用した電子機器の一実施形態の構成を示すもので、デジタルカメラを示した斜視図である。
【図２】同実施形態におけるデジタルカメラの分解斜視図である。
【図３】上記デジタルカメラのフレームを示した正面図である。
【図４】上記フレームの一部を拡大して示した正面図である。
【図５】上記フレームの一部を拡大して示した正面図である。
【図６】同実施形態におけるデジタルカメラの横断面図である。
【発明を実施するための形態】
【００１４】
以下、図を参照して本発明を実施するための最良の形態を詳細に説明する。
図１は、本発明を適用した電子機器の一実施形態の構成としてデジタルカメラ１の外観を示した斜視図で、２は筐体、２ａは表示部、２ｂは操作部である。図１に示すように、筐体２の背面には矩形の表示部２ａ及び各種操作ボタンからなる操作部２ｂが設けられ、正面には図示しないズームレンズが備えられている。ズームレンズから写し込まれた画像が表示部２ａに映し出されるようになっている。
【００１５】
図２は、デジタルカメラ１の分解斜視図で、２１は前ケース、２２は後ケース、２３はカバー、３はフレーム、４は液晶表示装置である。筐体２は、前ケース２１、後ケース２２、フレーム３からなり、前ケース２１及び後ケース２２の側面部領域をフレーム３の側面部領域にねじ止めする等の形態で構成されている。前ケース２１及び後ケース２２は何れも樹脂製で、前ケース２１にはズームレンズが出没するための円形の開口２１ａが形成され、後ケース２２には表示部２ａとなる矩形の開口２２ａが形成されている。フレーム３は金属製の部材で、前ケース２１との間に図示しないズームレンズや制御装置、バッテリーなどが取り付けられている。フレーム３の背面には、液晶表示装置４が取り付けられている。液晶表示装置４の表示面にはカバー２３が被せられている。カバー２３は、液晶表示装置４の表示面を保護する部材で、アクリル等の透明な樹脂で形成されている。カバー２３は、矩形の板部２３ａと、板部２３ａの側周面に形成されたフランジ２３ｂからなる。カバー２３の背後から後ケース２２が被せられ、カバー２３が開口２２ａから露出している。
【００１６】
図３はフレーム３を示す背面図である。フレーム３の背面には、液晶表示装置４の一部である矩形トレイ状のケース４１が取り付けられている。ケース４１は、液晶表示装置４のバックライト４７及び液晶表示パネル４８（何れも図６に図示）を収納し保護する部材で、金属で形成されている。ケース４１は、矩形のベース板４２と、ベース板４２の周囲をベース板４２に対して垂直に折り曲げて形成した側板４３，４４，４５，４６からなる。ベース板４２の表面には、デジタルカメラ１の背後の方向（図３の手前側）に向かって突出する微小な突起４２ａ（図６に図示）が多数形成されている。突起４２ａは、ベース板４２の裏側から打ち出すことにより形成されている。側板４３、４４の端部には付勢部材である板バネ４３ａ、４４ａがそれぞれ形成されている。板バネ４３ａ、４４ａの先端には、図４、図５に拡大して示すように、ケース４１の内側に向かって円弧状に湾曲した当接部４３ｂ、４４ｂがそれぞれ形成されている。
【００１７】
図６は、図１のＡ−Ａ横断面図で、４７はバックライト、４８は液晶表示パネル、５は弾性部材である。なお、フレーム３の正面（図６の上方）に設けられているレンズや前ケース２１等の図示は省略する。バックライト４７は、面発光して液晶表示パネル４８に光を照射するものである。バックライト４７は、各種光学シート、導光板を積層し、導光板の側部に光源を設けたものに、反射板４７ａを貼り付けて構成されている。反射板４７ａはバックライト４７の最も前面（ケース４１側）に設けられている。バックライト４７の背面（後ケース２２の開口２２ａ側）には、液晶表示パネル４８が取り付けられている。液晶表示パネル４８は、画像等を表示するもので、対向する２枚の透明板（例えば、ガラス基板）の間に液晶を封入し、且つその前後に偏光板を配置して構成されている。バックライト４７と液晶表示パネル４８は表示ユニット４ａとして一体化されており、且つフレーム３に取り付けられたケース４１に収納されている。このようにして液晶表示装置４が構成されている。
【００１８】
表示ユニット４ａは、ケース４１に固定はされておらず、突起４２ａの先端と反射板４７ａとが接触しているのみである。反射板４７ａとケース４１は共に導体で形成されているので、互いに接触することにより反射板４７ａとケース４１とが導通している。ケース４１は正面から見てバックライト４７よりも一回り大きく形成してあるので、表示ユニット４ａは、ケース４１の内部で、ベース板４２に沿って摺動可能となっている。表示ユニット４ａの側面は、側板４３、４４に形成された板バネ４３ａ，４４ａの当接部４３ｂ，４４ｂとそれぞれ当接しており、板バネ４３ａ、４４ａのバネ力により夫々対向する側板４５、４６に押し付けられている。従って、表示ユニット４ａの側面とケース４１の側板４３との間には、図６に示すように隙間Ｓ１が形成され、また、ケース４１の側板４４との間にも同様の隙間が形成される。
【００１９】
表示ユニット４ａの背面（後ケース２２の開口２２ａ側の面）には、弾性部材５が接着されている。弾性部材５はゴム等の弾性体からなり、液晶表示パネル４８の表示面の周囲に沿って、より詳細には、バックライト４７との境界部に沿って、当該境界部を覆うように矩形枠状に形成されている。そして、弾性部材５の背面には、カバー２３が接着されている。正面から見たカバー２３の板部２３ａの大きさは後ケース２２の開口２２ａよりも一回り小さく、フランジ２３ｂも含めたカバー２３全体の大きさは開口２２ａよりも一回り大きくなっている。このため、後ケース２２の開口２２ａから板部２３ａが露出するとともに、フランジ２３ｂが開口２２ａ周囲の内側面に当接し、カバー２３が後ケース２２に係合している。この場合、図６に示すように、板部２３ａと開口２２ａとの間に隙間Ｓ２が形成されるが、この隙間Ｓ２の間隔は、隙間Ｓ１よりも狭くなっている。また、弾性部材５との接着領域を含むカバー２３の内側面（表示ユニット４ａ側の面）の周縁部には、液晶表示パネル４８の表示面を見切るための見切り枠２３ｃが印刷等により予め形成されており、前記弾性部材５はこの見切り枠２３ｃにより外部からは見えないようになっている。
【００２０】
弾性部材５は、表示ユニット４ａとカバー２３とに挟まれて圧縮されている。このため、弾性部材５の弾性力が表示ユニット４ａをケース４１の方向に向かって押し付ける。このため、突起４２ａと反射板４７ａが常に接触した状態となる。また、弾性部材５は、カバー２３及び表示ユニット４ａとそれぞれ接着されているので、カバー２３、弾性部材５及び表示ユニット４ａが一体となって、ベース板４２に沿って隙間Ｓ２の分だけ移動可能となっている。隙間Ｓ２を隙間Ｓ１より狭くしてあるので、カバー２３及び表示ユニット４ａが移動すると、表示ユニット４ａの側面が側板４３，４４に当接する前に、カバー２３が開口２２ａに当接し、表示ユニット４ａに振動による衝撃が加わらないようになっている。このようにしてデジタルカメラ１が構成されている。
【００２１】
このデジタルカメラ１に振動等の外力が加わると、表示ユニット４ａの側面が板バネ４３ａ，４４ａを押しながら、カバー２３、弾性部材５と共に移動を始める。その結果、ケース４１の側板４３と表示ユニット４ａの側面との間及びカバー２３の板部２３ａと後ケース２２の開口２２ａ側端面との間がそれぞれ図６に示す状態よりも狭くなる。板バネ４３ａ，４４ａは表示ユニット４ａに押されて撓み、表示ユニット４ａを押し返す付勢力が生じる。やがて表示ユニット４ａは、板バネ４３ａ，４４ａに元の方向へと押し返される。この動作を繰り返すことにより、カバー２３、弾性部材５及び表示ユニット４ａが振動する。なお、手で直接カバー２３を動かすことにより表示ユニット４ａを振動させることもできる。
【００２２】
このデジタルカメラ１によれば、持ち運ぶ際の振動等による外力及び板バネ４３ａ，４４ａの付勢力により、カバー２３、弾性部材５及び表示ユニット４ａが一体となって、ベース板４２との接触面に沿って振動する。すると、反射板４７ａに接触している突起４２ａが反射板４７ａを引っかく。このため、反射板４７ａの表面が酸化して酸化皮膜４７ｂが形成されたとしても、酸化皮膜４７ｂが突起４２ａに削り取られるので、反射板４７ａとケース４１が長期間にわたって確実に導通する。このため、デジタルカメラ１のグランド電位がいつまでも安定し、ノイズや画像の乱れが抑えられる。
【００２３】
（変形例）
なお、以上の実施形態においては、デジタルカメラとしたが、本発明はこれに限定されるものではなく、電子手帳や携帯電話など、表示部を有する電子機器であれば何にでも用いることができる。
また、弾性部材が表示ユニットとカバーの両方に接着され、カバー、弾性部材及び表示ユニットが一体となって突起を有するベース板上を移動する構成としたが、カバーをケースの開口に接着固定し、弾性部材と表示ユニット、或は表示ユニットのみがベース板上を移動する構成としても良い。
また、突起の形状、付勢部材の種類や配置等も任意であり、その他、具体的な細部構造等についても適宜に変更可能であることは勿論である。
【符号の説明】
【００２４】
１  デジタルカメラ
２２  後ケース
２３  カバー
３  フレーム
４  液晶表示装置
４ａ  表示ユニット
４１  ケース
４２ａ  突起
４７  バックライト
４７ａ  反射板
４７ｂ  酸化皮膜
４８  液晶表示パネル
５  弾性部材
Ｓ１，Ｓ２  隙間
【図１】
0005387268.tif 000002
【図２】
0005387268.tif 000003
【図３】
0005387268.tif 000004
【図４】
0005387268.tif 000005
【図５】
0005387268.tif 000006
【図６】
0005387268.tif 000007